(57)【要約】【課題】夜間において洗濯物を干す作業や、取り入れる作業等の物干竿に対する作業を容易に行うことができるように、単純な構成で物干竿の周辺を照射する。【解決手段】  物干受け８０が溝部２１に嵌入した状態で本体装置を物干受け８０に取り付ける取付部２と、物干受け８０に取り付けられた状態において物干竿７０の周辺に光を発する発光部３と、発光部３に電力を供給する電源装置５と、発光部３をオンするスイッチ４と、を備える。【選択図】図１
2007054367.tif 000002
【特許請求の範囲】
【請求項１】
本体装置を物干受け又は物干竿に取り付ける取付部と、
光を前記物干竿の周辺に向けて発する発光部と、
前記発光部に電力を供給する電源装置と、
前記電源装置から前記発光部に対する電力供給のオン、オフを受け付けるスイッチ手段と、を備えたことを特徴とする物干照明装置。
【請求項２】
前記本体装置を物干受けに取り付ける取付部は、前記物干受けが嵌入する溝部と、前記溝部の側面方向に直交する方向に前記溝の一方の側面の外側から内側に貫通する螺合孔と、前記螺合孔に螺合して先端が前記溝部の内部に露出する物干受け固定用ねじと、を備えたことを特徴とする請求項１に記載の物干照明装置。
【請求項３】
前記本体装置を物干竿に取り付ける取付部は、物干竿の長さ方向に該物干竿が貫通する貫通孔と、前記貫通孔の周面から中心に向かう方向において移動自在に支持され且つ付勢部材において付勢された固定部材であって、前記長さ方向に物干竿が貫通する際に該物干竿の前端に当接し、前記長さ方向に物干竿が貫通する貫通力によって前記付勢部材の付勢力に抗して前記貫通孔の中心から周面に向かう方向に移動する固定部材と、を備えたことを特徴とする請求項１に記載の物干照明装置。
【請求項４】
前記スイッチ手段は、前記電源装置から前記発光部に対する電力供給をオンする指示を受け付けた後から所定時間経過後に該発光部をオフするタイマ手段を備えたことを特徴とする請求項１〜３の何れかに記載の物干照明装置。
【発明の詳細な説明】
【技術分野】
【０００１】
この発明は、洗濯物等を干す物干竿に取り付けられて下方を照らす物干竿照明装置に関する。
【背景技術】
【０００２】
屋外において夜間に作業をする際には屋外用の照明器具（例えば、特許文献１参照。）を点灯する。ところが、一般的な住宅やマンション等のベランダには照明器具が備えられていないことが多い。ベランダは、種々の利用形態が考えられるが一般的に洗濯物を干す場所として利用される頻度が高い。
【０００３】
洗濯物を干したり、取り入れたりする作業は、日が沈む前に行うことが好ましいが、都合により日が沈んで暗くなった夜間に行う場合もある。このような場合、ベランダは暗いので洗濯物を干す作業、取り入れる作業を行うのは不便であり、窓を介して部屋の明かりでベランダを照らして上記作業を行っている場合が多い。
【特許文献１】特開２００３−３１０２５号公報
【発明の開示】
【発明が解決しようとする課題】
【０００４】
しかしながら、部屋の明かりを用いてベランダを照らして洗濯物を取り入れようとすると、窓を遮蔽しているカーテンを開けなければならず、夜間であるので外部から部屋の内部が丸見えになってしまう。そのため、マンション等の住人は、夜間に洗濯物を干す等の作業を好まない。
【０００５】
また、洗濯物を干す、取り入れる作業のためだけに屋外用の照明装置を取り付けるのは取り付けが面倒であり、また毎回懐中電灯を用いるのも面倒である。洗濯物を干す作業、取り入れる作業においては、ベランダ全体ではなく、物干し竿の周辺が照らされていれば十分であり、ベランダ全体を明るくしてしまうと外部から作業者の作業姿が丸見えとなってしまい好ましくない。
【０００６】
この発明の目的は、夜間に洗濯物を干す作業や、取り入れる作業等の物干竿に対する作業を容易に行うことができるように、単純な構成で物干竿の周辺を照射することができる物干竿照明装置を提供することにある。
【課題を解決するための手段】
【０００７】
この発明は、上記の課題を解決するための手段として、以下の構成を備えている。
【０００８】
（１）本体装置を物干受け又は物干竿に取り付ける取付部と、
光を前記物干竿の周辺に向けて発する発光部と、
前記発光部に電力を供給する電源装置と、
前記電源装置から前記発光部に対する電力供給のオン、オフを受け付けるスイッチ手段と、を備えたことを特徴とする。
【０００９】
この構成においては、スイッチ手段の操作により物干受け又は物干竿に取り付けられた状態で発光部が物干竿の周辺に光を照らす。したがって、部屋の明かりではなく発光部の光を頼りに物干竿に対して作業が行われる。
【００１０】
（２）前記本体装置を物干受けに取り付ける取付部は、前記物干受けが嵌入する溝部と、前記溝部の側面方向に直交する方向に前記溝の一方の側面の外側から内側に貫通する螺合孔と、前記螺合孔に螺合して先端が前記溝部の内部に露出する物干受け固定用ねじと、を備えたことを特徴とする。
【００１１】
この構成においては、溝部が物干受けに外嵌した状態で本体装置が物干受けに取り付けられる。また、固定用ねじが螺合する螺合孔が、溝部の側面方向に直交する方向に溝部の一方の側面の外側から内側に貫通するように形成されている。しかも、固定用ねじの先端が溝部の内部に露出するように螺合孔に螺合するので、溝部に嵌入した物干受けに当接する。そのため、固定用ねじと溝部の他方の側面とによって物干受けが挟持された状態となり、本体装置が物干受けに固定される。
【００１２】
（３）前記本体装置を物干竿に取り付ける取付部は、物干竿の長さ方向に該物干竿が貫通する貫通孔と、前記貫通孔の周面から中心に向かう方向において移動自在に支持され且つ付勢部材において付勢された固定部材であって、前記長さ方向に物干竿が貫通する際に該物干竿の前端に当接し、前記長さ方向に物干竿が貫通する貫通力によって前記付勢部材の付勢力に抗して前記貫通孔の中心から周面に向かう方向に移動する固定部材と、を備えたことを特徴とする。
【００１３】
この構成においては、貫通孔を物干竿が貫通した状態で本体装置が物干竿に取り付けられる。また、固定部材が、貫通孔の周面から中心に向かう方向において移動自在に支持され且つ付勢部材によって付勢され、貫通孔に一部を露出させている。そのため、物干竿が貫通孔に貫通する際に物干竿の前端が固定部材に当接する。この当接によって、固定部材が付勢力に抗して貫通孔の中心から周面に向かう方向に移動し、物干竿が貫通孔に貫通する。
【００１４】
また、固定部材は、貫通孔の周面から中心に向かう方向に付勢されているので、固定部材が貫通孔の中心から周面に向かう方向に移動した後に貫通した物干竿の外周に当接する。そのため、固定部材と貫通孔とによって物干竿が挟持された状態となり、本体装置が物干竿に固定される。
【００１５】
（４）前記スイッチ手段は、前記電源装置から前記発光部に対する電力供給をオンする指示を受け付けた後から所定時間経過後に該発光部をオフするタイマ手段を備えたことを特徴とする。
【００１６】
この構成においては、スイッチ手段が発光部に対する電力供給をオンする指示を受け付けた後から所定時間経過後、タイマ手段によって発光部に対する電力供給がオフされる。したがって、作業者が発光部に対する電力供給をオフする必要がない。
【発明の効果】
【００１７】
この発明によれば、以下の効果を奏することができる。
【００１８】
（１）物干受け又は物干竿に取り付けられた状態でスイッチ手段を操作して発光部を発光させ、物干竿の周辺を照らすことによって、物干竿に対する作業がしやすくなり、作業者の負担を軽減できる。また、物干竿の周辺のみを照らすので作業者の作業姿が周辺から見え難い。
【００１９】
（２）貫通孔に物干竿が貫通した状態で固定部材を用いて本体装置を固定することによって、単純な構成で本体装置を物干竿に固定することができる。
【００２０】
（３）溝部に物干受けが嵌入した状態で固定用ねじを用いて本体装置を固定することによって、単純な構成本体装置を物干受けに固定することができる。
【００２１】
（４）発光部に対する電力供給をオンして所定時間経過後にオフするタイマ手段を備えたことによって、作業者の手間を省くことができ、発光部をオフするのを忘れてオンしたままの状態を招くことを防止することができる。
【発明を実施するための最良の形態】
【００２２】
図１は、この発明の実施形態に係る物干照明装置の構成を説明するための説明図である。この発明の本体装置である物干照明装置１は、取付部２、発光部３、スイッチ４、及び後述する電源装置等から構成され、物干受け８０に取り付けられた状態において物干竿７０の周辺を照らす。物干受け８０は、物干竿７０を支持する。
【００２３】
取付部２は、溝部２１及び固定用ねじ２２等から構成され、本体装置を物干竿７０に取り付ける。溝部２１には、図２に示すように上方から物干受け８０が嵌入する。固定用ねじ２２は、溝部２１の側面方向に直交する方向に溝部２１の一方の側面の外側から内側に貫通する螺合孔２３に螺合する。なお、図２は、図１に示す矢印Ｗ方向から見た本体装置の一部の構成を示す断面図である。
【００２４】
また、固定用ねじ２２は、螺合によって先端が溝部２１の内部に露出して物干受け８０に当接する。これによって、固定用ねじ２２と溝部２１の他方の側面とで物干受け８０を挟持でき、単純な構成で本体装置を物干竿７０に対して固定することができる。
【００２５】
発光部３は、外壁が光を透過するプラスチック等の部材で形成され、内部に発光素子である１以上のＬＥＤ（本実施形態では４個）を備えている。また、発光部３は、本体装置が物干受け８０に取り付けられた状態において物干竿７０の周辺に光を照らす。スイッチ４は、押下されることにより発光部３をオンする。電源装置は、１以上のＬＥＤに電力を供給する。なお、本実形態ではＬＥＤを用いているが電球等であってもよい。
【００２６】
図３は、電源装置５の回路図を示す。電源装置５は、プッシュスイッチ回路５１、コントロール回路５２、ＬＥＤドライブ回路５３、ＬＥＤ回路５４等から構成され、図示しない電池から電源電圧ＶｃｃをＬＥＤ３１に供給する。プッシュスイッチ回路５１は、スイッチ４の押下を検出する回路である。コントロール回路５２は、タイマ回路（本発明のタイマ手段に相当する。）５２ａを備え、４個のＬＥＤ３１に電力を供給する時間を制御する。タイマ回路５２ａは、スイッチ４がオンされたのをトリガにして、トランジスタ５３ａのベースをＨｉｇｈにし、スイッチ４がオンされて所定時間経過後にトランジスタのベースをＬｏｗに戻す。なお、所定時間は、本実施形態では６分に設定されている。
【００２７】
ＬＥＤドライブ回路５３は、トランジスタ５３ａを備え、４個のＬＥＤ３１への電力供給の開始、停止を切り換える。ＬＥＤ回路５４は、接続された４個のＬＥＤ３１に電源電圧Ｖｃｃを供給する。
【００２８】
スイッチ４の押下（オン）により、タイマ回路５２ａが起動してトランジスタ５３ａをオンして４個のＬＥＤ３１に電力を供給し、スイッチ４の押下から所定時間経過後に４個のＬＥＤ３１への電力供給を停止する。
【００２９】
したがって、作業者がスイッチ４を再び押下して発光部３をオフにする必要がなく、作業者の手間を省くことができ、発光部３をオフするのを忘れてオンしたままの状態を招くことを防止することができる。なお、スイッチ４を再度押下して発光部３をオフする構成でもよい。また、スイッチ４及びタイマ回路５２ａは、この発明のスイッチ手段に含まれる。
【００３０】
以上のように、物干受け８０に物干照明装置１を取り付け、物干竿７０の周辺を照らすことによって、物干竿７０に対する作業がしやすくなり、作業者の負担を軽減できる。また、物干竿７０の周辺を照らすので作業者の作業姿が周辺から見え難い。
【００３１】
なお、本実施形態では、物干照明装置１を物干受け８０に固定しているが特にこれに限定されるものではなく、物干竿７０に取り付けても同様の効果を奏することができる。
【００３２】
具体的には、図４に示すように、上述の取付部２に代えて貫通孔６１及びプッシュロック（本発明の固定部材に相当する。）６２を有する取付部６０を備えた物干照明装置１の構成がある。その他の構成は同様である。貫通孔６１には、貫通方向（物干竿７０の長さ方向）である矢印Ｙ方向に物干竿７０が貫通する。プッシュロック６２は、図５（Ａ），（Ｃ）に示すように、本体装置を物干竿７０に対して固定する。また、プッシュロック６２は、図５（Ａ）に示すように、軸６２ａによって矢印Ｘ１，Ｘ２方向に揺動（移動）自在に支持され、図示しないスプリング（本発明の付勢部材に相当する。）によって矢印Ｘ１方向に付勢されている。
【００３３】
そのため、プッシュロック６２は、物干竿７０が貫通孔に貫通していない状態においては、図５（Ｂ）に示すように矢印Ｘ１方向に揺動した状態となる。
【００３４】
また、図５（Ｂ）に示す状態は、プッシュロック６２の一部が貫通孔６１の内部に露出した状態となるので、物干竿７０が貫通する際に物干竿７０の前端がプッシュロック６２の一部に当接する。物干竿７０の前端が当接するプッシュロック６２の一部である当接部６２ｂは、テーパ形状を呈している。そのため、物干竿７０の前端が当接すると物干竿７０の矢印Ｙ方向の貫通力によってプッシュロック２２は矢印Ｘ２方向に揺動し、図６（Ｂ）に示す状態から図６（Ａ），（Ｃ）に示す状態となる。
【００３５】
また、プッシュロック６２は、矢印Ｘ１方向に付勢されているので、貫通した物干竿７０の外周に当接する。これによって、プッシュロック６２と貫通孔６１とで物干竿７０を挟持でき、単純な構成で本体装置を物干竿７０に対して固定することができる。
【図面の簡単な説明】
【００３６】
【図１】この発明の実施形態に係る物干照明装置の構成を説明するための説明図である。
【図２】図１に示す矢印Ｗ方向から見た物干照明装置の一部の構成を示す断面図である。
【図３】同物干照明装置に備えられた電源装置の回路構成を示す回路図である。
【図４】この発明の実施形態に係る物干照明装置の構成を説明するための説明図である。
【図５】同物干照明装置の一部の構成を示す断面図である。
【００３７】
。
【符号の説明】
【００３８】
１  物干照明装置
２  取付部
３  発光部
４  スイッチ
５  電源装置
２１  溝部
２２  固定用ねじ
５２ａ  タイマ回路
６０  取付部
６１  貫通孔
６２  プッシュロック
６３  螺合孔
７０  物干竿
８０  物干受け
【図１】
2007054367.tif 000003
【図２】
2007054367.tif 000004
【図３】
2007054367.tif 000005
【図４】
2007054367.tif 000006
【図５】
2007054367.tif 000007